(57)【特許請求の範囲】
【請求項１】
ランプピン装着開口を前面に有し前記前面と反対側を背面とし前記前面の一端側を底面のある基部とした略箱形であって、前記基部の前記前面および前記背面に取付溝を有し、前記取付溝よりも前記底面側の前記基部を前記ソケット本体の前記前面よりも前方に突出するとともに前記背面よりも後方に突出したソケット本体と、
略Ｌ字形に折曲され、その一片の先端からＬ字折曲部の他片側に跨がって切り込まれた切欠により開口を形成し、前記ソケット本体が前記他片側に位置し前記基部が前記他片と反対側に位置するように前記取付溝を前記一片の前記開口の両側縁に係止させる取付板とを備え、
前記ソケット本体は前記基部の突出した部分の一部が前記取付板の裏面に接しており、
前記ソケット本体の前記基部以外の側面を前記他片の内面に位置決め当接したランプソケットの取付構造。
【請求項２】
ランプピン装着開口を前面に有し前記前面と反対側を背面とし前記前面の一端側を底面のある基部とした略箱形であって、前記基部の前記前面および前記背面に取付溝を有し、前記取付溝よりも前記底面側の前記基部を前記ソケット本体の前記前面よりも前方に突出するとともに前記背面よりも後方に突出したソケット本体と、
略Ｌ字形に折曲され、その一片の先端からＬ字折曲部の他片側に跨がって切り込まれた切欠により開口を形成し、前記ソケット本体が前記他片と反対側に位置し前記基部が前記他片側に位置するように前記取付溝を前記一片の前記開口の両側縁に係止させる取付板とを備え、
前記ソケット本体は前記基部の突出した部分の一部が前記取付板の裏面に接しており、
前記基部の前記他片の内面に当接する部分を前記基部の側面よりも前記取付板の板厚程度の深さ後退するように凹設したランプソケットの取付構造。
【請求項３】
前記ソケット本体はボディとカバーを嵌合して構成され、前記ボディおよび前記カバーのうち内側に嵌合するものを直接前記取付溝に臨ませた請求項１または請求項２記載のランプソケットの取付構造。
【請求項４】
前記ソケット本体は、前記ランプピン装着開口に連通するランプピン挿入溝を前記ソケット本体の前記基部と反対側の先端部に設け、前記ランプピン装着開口に装着されたランプピンに接触する一対の接触ばねを内部に有する回転式ソケット用である請求項１または請求項２記載のランプソケットの取付構造。
【発明の詳細な説明】
【０００１】
【発明の属する技術分野】
この発明は、蛍光灯ソケット等のランプソケットの取付構造に関するものである。
【０００２】
【従来の技術】
蛍光灯ソケットの取付構造の第１の従来例を図１０に示す。１００は切欠部１０１を有する取付板、１０２は基部の両側面に取付溝１０３を有するソケット本体である。
このソケット本体１０２は矢印のように取付溝１０３を切欠部１０１に挿入して、切欠部１０１の両側縁に係止する。Ａはソケット本体１０２の幅、Ｘは取付板１００の幅、Ｂ＋Ｃは幅Ｘから切欠部１０１の幅を引いた残りの幅、ｔは板厚である。
【０００３】
第２の従来例を図１１に示す。取付板１００には角形の取付孔１０４を有し、ソケット本体１０２の両側面には係止用爪１０５を有する。矢印のように、ソケット本体１０２の先端を取付孔１０４に矢印のように挿入して係止用爪１０５を挿通して取付孔１０４の縁部に引掛け抜止めする。Ａ′はソケット本体１０２の幅、Ｘ′は取付板１００の幅、Ｂ′＋Ｃ′は幅Ｘ′から取付孔１０４の幅を引いた残りの幅、ｔ′は板厚である。
【０００４】
【発明が解決しようとする課題】
第１の従来例は、ソケット本体１０２の幅Ａに対して、取付板１００の幅ＸはＸ＝Ａ＋Ｂ＋Ｃ＋ｔとなり、取付板１００の幅が広くなる。
同様に第２の従来例は、ソケット本体１０２の幅Ａ′に対して、取付板１００の幅Ｘ′はＸ′＝Ａ′＋Ｂ′＋Ｃ′＋ｔ′となり、取付板１００の幅が広くなる。
【０００５】
したがって、この発明の目的は、取付板の幅を小さくでき小型化することができるランプソケットの取付構造を提供することである。
【０００６】
【課題を解決するための手段】
請求項１記載のランプソケットの取付構造は、ランプピン装着開口を前面に有し前記前面と反対側を背面とし前記前面の一端側を底面のある基部とした略箱形であって、前記基部の前記前面および前記背面に取付溝を有し、前記取付溝よりも前記底面側の前記基部を前記ソケット本体の前記前面よりも前方に突出するとともに前記背面よりも後方に突出したソケット本体と、
略Ｌ字形に折曲され、その一片の先端からＬ字折曲部の他片側に跨がって切り込まれた切欠により開口を形成し、前記ソケット本体が前記他片側に位置し前記基部が前記他片と反対側に位置するように前記取付溝を前記一片の前記開口の両側縁に係止させる取付板とを備え、
前記ソケット本体は前記基部の突出した部分の一部が前記取付板の裏面に接しており、
前記ソケット本体の前記基部以外の側面を前記他片の内面に位置決め当接したものである。
【０００７】
請求項１記載のランプソケットの取付構造によれば、ソケット本体の前後面に取付溝を形成したため、ソケット本体自体の幅や取付板の幅を小さくすることができ、小型化を図れる。またソケット本体を取付板に位置決めできるので位置決め容易になる。
【０００８】
請求項２記載のランプソケットの取付構造は、ランプピン装着開口を前面に有し前記前面と反対側を背面とし前記前面の一端側を底面のある基部とした略箱形であって、前記基部の前記前面および前記背面に取付溝を有し、前記取付溝よりも前記底面側の前記基部を前記ソケット本体の前記前面よりも前方に突出するとともに前記背面よりも後方に突出したソケット本体と、
略Ｌ字形に折曲され、その一片の先端からＬ字折曲部の他片側に跨がって切り込まれた切欠により開口を形成し、前記ソケット本体が前記他片と反対側に位置し前記基部が前記他片側に位置するように前記取付溝を前記一片の前記開口の両側縁に係止させる取付板とを備え、
前記ソケット本体は前記基部の突出した部分の一部が前記取付板の裏面に接しており、
前記基部の前記他片の内面に当接する部分を前記基部の側面よりも前記取付板の板厚程度の深さ後退するように凹設したものである。
【００１０】
請求項２記載のランプソケットの取付構造によれば、請求項１と同様な効果のほか、ソケット本体の側面の取付板当接部分を取付板の厚さと同等の深さに凹ませたので、ソケット本体の幅と取付板の幅を同じにすることができ、さらに小型化を図れる。
請求項３記載のランプソケットの取付構造は、請求項１または請求項２において、前記ソケット本体がボディとカバーを嵌合して構成され、前記ボディおよび前記カバーのうち内側に嵌合するものを直接前記取付溝に臨ませたものである。
【００１１】
請求項３記載のランプソケットの取付構造によれば、請求項１または請求項２と同様な効果のほか、ボディおよびカバーのうち、内側に嵌合するものを取付溝に臨ませたので、ソケット取付状態では内側に位置するものが取付板によりロックされ、これによりソケット取付状態での嵌合強度が増し、ランプ着脱操作時にこじられた場合でもカバーまたはボディが外れにくく安全である。
請求項４記載のランプソケットの取付構造は、請求項１または請求項２において、前記ソケット本体が、前記ランプピン装着開口に連通するランプピン挿入溝を前記ソケット本体の前記基部と反対側の先端部に設け、前記ランプピン装着開口に装着されたランプピンに接触する一対の接触ばねを内部に有する回転式ソケット用としたものである。
請求項４記載のランプソケットの取付構造によれば、請求項１と同様な効果がある。
【００１２】
【発明の実施の形態】
この発明の第１の実施の形態を図１から図４により説明する。すなわち、このランプソケットの取付構造は、ソケット本体１と、取付板２とを有する。
ソケット本体１は、ランプピン装着開口３を前面４に有する略箱形であって、基部５の前面４および背面６に取付溝７を有する。実施の形態のソケット本体１は回転式ソケットのソケット本体であり、絶縁性の合成樹脂により形成され、ランプピン装着開口３に連通するランプピン挿入溝８をソケット本体１の先端部９側に設け、ランプピン装着開口３に装着されたランプピン１０に接触する一対の接触ばね１２を内部に有する。１３は基部５の底面に設けた電線接続穴であり、この電線接続穴１３を通した電線が接触ばね１２に形成した例えば速結構造の端子に接続される。１４は基部５に形成し取付板２に弾接するＶ字折曲形のばね部、１５は例えば直管蛍光ランプ等のランプ、図２のＡ1 はソケット本体１の幅、Ｄは一対の取付溝７の底部間の距離である。取付溝７は装着状態のランプ１５に略平行な面上で互いに対応して形成されている。なお取付溝７はその長手方向の両端のみの幅を小さくし中央部は広くして両端のみで取付板２に支持することによりソケット挿入時の摩擦力を低減しながら取付溝１６の長さを従来よりもを長くできて取付安定性を向上できる。
【００１３】
取付板２は、開口１６を有してこの開口１６の両側縁に取付溝７を係止させる。実施の形態の取付板２は略Ｌ字形に折曲され、開口１６は取付板２の一片１７の先端からＬ字折曲部１８の他片１９側に跨がって切り込まれた切欠状に形成され、ソケット本体１の側面が他片１９の内側に位置決め当接している。開口１６の幅ＥはＥ＞Ｄの関係がある。Ｘ1 は一片１７のランプソケット挿入方向の幅、ｔ1 は板厚である。Ｘ1 ＝Ａ1 ＋ｔ1 となり、これは従来よりも小さくなることがわかる。
【００１４】
なお、取付板２は図２において上下逆にしてソケット本体１を取付板２の開口１６に差込ませる。
この実施の形態によれば、ソケット本体１の前後面に取付溝７を形成したため、ソケット本体１自体の幅や取付板２の幅を小さくすることができ、小型化を図れる。
【００１５】
また取付板２が略Ｌ字形に折曲され、開口１６は取付板２の一片１７の先端からＬ字折曲部１８の他片１９側に跨がって切り込まれた切欠であり、ソケット本体１の側面が他片１９の内面に位置決め当接するため、ソケット本体１を取付板２に位置決めできるので位置決め容易になる。
この発明の第２の実施の形態を図５および図６に示す。すなわち、このランプソケットの取付構造は、第１の実施の形態において、取付板２の他片１９に当接するソケット本体１の部分はソケット本体１の側面よりも取付板２の板厚程度の深さ後退するように凹設されている。
【００１６】
実施の形態では、開口１６の底部１６ａ側を若干広幅に形成している。またソケット本体１の他片１９の内面１９ａに当接する部分２１を深さｔ2 ≒ｔ1 の程度切欠状に凹設している。
この実施の形態によれば、ソケット本体１の側面の当接部分２１を取付板２の厚さと同等の深さ凹ませたので、図６に示すようにソケット本体１の幅Ａ1 と取付板２の幅Ａ2 を同じにすることができ、全体の形状をさらに小型化できる。
【００１７】
この発明の第３の実施の形態を図７および図８に示す。すなわち、このランプソケットの取付構造は、第１の実施の形態において、ソケット本体１が、ボディ２３とカバー２２を嵌合して構成され、ボディ２３およびカバー２２のうち内側に嵌合するものを直接取付溝７に臨ませている。
実施の形態では、カバー２２がボディ２３の内側に嵌合し、ボディ２３の内面に係止受け部２４を設け、カバー２２に係止受け部２４に係止する爪部２５を設けている。また取付溝７にはカバー２２の側部２７が取付板２に接触するように臨ませている。
【００１８】
この実施の形態によれば、ボディ２３およびカバー２２のうち、内側に嵌合するカバー２２の一部を取付溝７に臨ませたので、ソケット取付状態では取付板２によりロックされ、これによりソケット取付状態でカバー２２での嵌合強度が増し、ランプ着脱操作時にこじられた場合でもカバー２２が外れにくく安全である。すなわち、ソケット本体１が組立られたときの嵌合強度に対して、ソケット本体１を取付板２に取付けた状態の実使用状態の方が強くなる。
【００１９】
例えば図１２に示すように、ソケット本体２３′の内側に嵌合したカバー２２′が開口１６に臨んでいない場合、矢印のような外力Ｆによりカバー２２′がボディ２３′から外れやすいという欠点があった。これに対しては、係止受け部２４′および爪部２５′の形状を大きくしたり、その数を増加することにより対応してきた。しかし、樹脂成形品によりボディ２３′およびカバー２２′を形成する場合に金型構造が複雑となる課題もあった。
【００２０】
図９は、第３の実施の形態の変形形態であり、カバー２２の側部２７の端部を延出して、取付溝７に沿って取付溝７の側面および底面を形成するように係止部２７ａを折曲している。この例では、カバー２２が開口１６から外れない限りカバー２２をボディ２３から外すことができず、ソケット本体１を開口１６に係止した状態ではより確実にボディ２３に取付けられることとなる。
【００２１】
なお、この発明において、ボディがカバーの内側に嵌合する場合、ボディを前記のカバー２２と同様な構成で開口１６に臨ませる。またランプソケットは回転式ソケットであったが、ランプピンの先端をランプソケットの接触子に押し当てて給電状態とするプランジャ型でもよい。
【００２２】
【発明の効果】
請求項１記載のランプソケットの取付構造によれば、ソケット本体の前後面に取付溝を形成したため、ソケット本体自体の幅や取付板の幅を小さくすることができ、小型化を図れる。
【００２３】
またソケット本体を取付板に位置決めできるので位置決め容易になる。
請求項２記載のランプソケットの取付構造によれば、請求項１と同様な効果のほか、ソケット本体の側面の取付板当接部分を取付板の厚さと同等の深さに凹ませたので、ソケット本体の幅と取付板の幅を同じにすることができ、さらに小型化を図れる。
【００２４】
請求項３記載のランプソケットの取付構造によれば、請求項１または請求項２と同様な効果のほか、ボディおよびカバーのうち、内側に嵌合するものを取付溝に臨ませたので、ソケット取付状態では内側に位置するものが取付板によりロックされ、これによりソケット取付状態での嵌合強度が増し、ランプ着脱操作時にこじられた場合でもカバーまたはボディが外れにくく安全である。
請求項４記載のランプソケットの取付構造によれば、請求項１または請求項２と同様な効果がある。
【図面の簡単な説明】
【図１】この発明の第１の実施の形態の側面図である。
【図２】ランプソケットと取付板との分解斜視図である。
【図３】ランプソケットの正面図である。
【図４】ランプソケットの取付面側となる底面図である。
【図５】第２の実施の形態のランプソケットと取付板との分解斜視図である。
【図６】その取付状態の斜視図である。
【図７】第３の実施の形態のランプソケットと取付板との分解斜視図である。
【図８】そのランプソケットを取付板に取付けた状態の断面図である。
【図９】その変形形態のランプソケットの断面図である。
【図１０】第１の従来例のランプソケットと取付板との分解斜視図である。
【図１１】第２の従来例のランプソケットと取付板との分解斜視図である。
【図１２】参考例のランプソケットの断面図である。
【符号の説明】
１    ソケット本体
２    取付板
３    ランプピン装着開口
４    前面
５    基部
６    背面
７    取付溝
８    ランプピン挿入溝
９    先端部
１０    ランプピン
１２    接触ばね
１６    開口
１７    一片
１８    Ｌ字折曲部
１９    他片
２２    カバー
２３    ボディ
【図１】
0003762101.tif 000002
【図２】
0003762101.tif 000003
【図３】
0003762101.tif 000004
【図４】
0003762101.tif 000005
【図５】
0003762101.tif 000006
【図６】
0003762101.tif 000007
【図７】
0003762101.tif 000008
【図８】
0003762101.tif 000009
【図９】
0003762101.tif 000010
【図１０】
0003762101.tif 000011
【図１１】
0003762101.tif 000012
【図１２】
0003762101.tif 000013